(57)【要約】      （修正有）【課題】断熱構造にする必要がない浴槽の節水と省エネを目的とした容器を提供する。【解決手段】容器に入れる重量物として、砂等２を利用出来るようにした。砂類の比熱が水の５分の１と小さい事等、物質の特性で有る比熱の差を利用することで、中空の容器本体１を断熱構造にしなくても、十分効果が得られるようにした。又重量調整後の容器の内圧を高めるため、蓋体１に空気注入口４を設け、容器の内圧を高める事により、使用時の見栄えや触感を良くした。浴槽の節水、省エネ、二酸化炭素の削減に役立つ。【選択図】図１
0003154442.tif 000002
【実用新案登録請求の範囲】
【請求項１】
浴槽の節水と省エネを図る事を目的とした容器で、容器の中に入れる重量物として、乾燥した砂等の様に、比重は水より重くて、比熱が小さい物質を重量物として利用することを特徴とすると共に。砂等、比熱が小さい物質の特性を利用する事で、中空の容器自体を、断熱構造にしなくても、浴槽の省エネ効果が得られる事を特徴とした容器。
【請求項２】
比重調整後、容器の内圧を高めるため、蓋体に逆支弁付の空気注入口が付いている事を特徴とした、請求項１記載の容器。
【考案の詳細な説明】
【技術分野】
【０００１】  本考案は、浴槽の節水と省エネを目的とした、容器に関するものである。
【背景技術】
【０００２】  浴槽に入れる湯の量は、何時も一定の水位を必要としているため、節水や省エネが難しい。又、入浴の条件の違いによって、浴槽から湯が溢れて、後で再度追加が発生したりする事もある。これらの不具合を無くすために、従来考案されている容器としては、容器の中に入れる、比重調整用の重量物に、食塩水を使用する物とか、ただ重量物と記された物等が有る。しかしいずれも、球形の容器自体を断熱構造にする事を、共通の特徴としている。
【先行技術文献】
【特許文献】
【０００３】
【特許文献１】  特開平８−２０６０２７
【特許文献２】  特開２００４−１８７８９３
【考案の概要】
【考案が解決しようとする課題】
【０００４】  従来考案されている、浴槽の節水と省エネを目的とした、球形の容器は、中に入れる比重調整用の重量物に、食塩水を使用する物等が有る。しかし、食塩水は比熱が水と同じ様に高いため、容器自体を完全な断熱構造にしなくては効果が薄い。その他のいずれの考案も、球形の容器自体を断熱構造にする事を特徴としている。球形の容器自体を断熱構造にすることは、技術的に難しく、製造コストも高くなる。又、完全な断熱構造にする事は、技術的にも不可能である。従って、広く普及させて効果をあげるには、大きな欠点を有している。【０００５】  容器に重量物を入れて比重調整しても、容器内の余った空間の内圧を高める事が出来ないと、容器が柔軟な材質の場合、浴槽内の水圧で凹みが生じ、見栄えや触感が良くない。容器自体を硬質な素材にした場合には、水圧による凹みは無くなるが、落下したときの衝撃や、物流面で好ましくない。本考案はこれらの欠点を解決し、浴槽の節水と省エネを図り、二酸化炭素の削減に役立てようとするものである。
【課題を解決するための手段】
【０００６】  本考案は、有る程度、柔軟で耐熱性が有る、適宜素材で出来た中空の容器に、比重を調整する重量物として、乾燥した砂や小石を利用できる構造にした。砂や小石等は水に比べて比重は大きいが、比熱や熱伝導率は小さい。これら砂や小石等の持つ物質の特性を利用することで、中空の球形容器自体を断熱構造にしなくても、浴槽の省エネに対して、十分効果が得られるようにした。【０００７】  容器内に重量物を入れ易くすると共に、容器内での細工をし易くするため、容器の口を、手が入る程度の広口の口径にして、蓋体を設けた。又、蓋体の部分に逆止弁付きの空気注入口を設けた。
【考案の効果】
【０００８】  上述の様に、本考案は比重調節用の重量物に、乾燥した砂や小石等を利用できる構造にして、砂や小石の持つ、物質の特性を利用する事で、従来考案されている様な、容器自体を断熱構造にしなくても、省エネの効果が十分得られる。乾燥した砂の比熱は、０．８程度であり、水の比熱、４．２に比べると５分の１と小さい。仮に、砂の温度が、湯の温度と同じまで上昇したとしても、この時、容器内の砂に奪われた熱エネルギーの量は、水の時の５分の１であり、わずか２０％である。従って、砂の入った容器と置き換えるだけで、最低でも８０％の熱エネルギーが節約できる事になる。又、乾燥した砂は熱伝導率も低くいので、中心付近の砂が、数時間の使用で、湯の温度と同じになるまで上昇する事は無い。従って、容器自体を断熱構造にしなくても、浴槽に入れた容器の個数と同じ体積の水量に対して、必要な熱エネルギーを、事実上９０％程度節約することが可能である。【０００９】  使用水については、浴槽に入れた容器の個数と同じ体積の水量が節水出来る。又、温水供給時間や、沸かす時間の短縮にもつながる。その他、入浴条件の違いによって、入浴時に湯が溢れ、再度追加が発生する様な場合には、容器を出し入れする事で、その分の水と、熱エネルギーも節約出来る。【００１０】  容器内の砂と湯の温度に、温度差が有っても、砂は熱伝導率も低く、液体の様な対流が起きないので、容器の表面から奪われる熱の速度は遅い。従って、容器を断熱構造にしなくても、入浴中に容器が体に触れて冷たさを感じることは無い。【００１１】  容器自体を断熱構造にする必要が無いので、製造工程が簡単である。製造コストも安く出来ることから、広く普及が可能で有り、節水や省エネに効果をあげ易い。【００１２】  容器の中に入れる重量物が砂や小石類で済むため安価で、どこでも入手が比較的簡単である。廃棄する時も環境的に問題が無い。又、必ずしも砂や小石に限らず、比重が水より重くて比熱が小さい物質であれば利用出来る。土石、砂利、コンクリート片等でも、乾燥していれば、比熱は砂と変わらないので利用が可能である。【００１３】  容器に空気注入口を設ける事で、容器内の余った空間に空気を吹き込むことが可能であり、容器の内圧を高める事で、浴槽の水圧による容器の凹みを防ぐことが出来る。従って、見栄えや触感が良くなると共に、容器の体積を最大限に利用出来る。【００１４】  容器の口を、手が入る程度の広口にする事により、重量物として、砂利、小石、コンクリート片あるいは、鉄片等でも緩衝材で包むような形で入れることも可能である。容器内での細工もし易い。又、蓋体を容器の外に突出させる様な形状にする事で、ボール状の容器、一個の体積を大きくしても、浴槽内で蓋体を掴むことができ、完全な球体に比べて持ち易い。【００１５】  一つの浴槽に使う容器の使用個数は、浴槽等の条件に合わせて、自由に個数調整できるため利用がし易い。
【図面の簡単な説明】
【００１６】
【図１】本考案の容器の断面図である。
【図２】本考案の容器の正面図である。
【考案を実施するための形態】
【００１７】  耐熱性のある、適宜な素材で出来たボール状の容器に、比重調整用の重量物をいれ易くするため、手が入る程度の広口を設けると共に、蓋体の部分に逆止弁付きの空気注入口を設ける。
【００１８】  中空の容器の中に、規定量の、乾燥した砂等の重量物を入れる。重量物を入れた後の余った空間に、浴槽の水圧で凹まない程度まで空気を吹き込んで、容器の内圧を高める。
【００１９】  容器内に入れる重量物は、必ずしも砂に限らず、乾燥した砂利、土石、コンクリート片等を、新聞紙等の緩衝材で包むような形で入れても良い。又、川砂や土砂、小石、コンクリート片等が混ざった状態で容器の中に入れても良い。
【００２０】  ボール状の容器一個の大きさは、任意で良いが、４リットルから５リットル程度が望ましく効果を上げ易い。又、持つ時安定度が増すように、蓋体は球体の外に突出する様な形状にする。
【実施例】
【００２１】  以下添付図面に従って一実施例を説明する。ある程度柔軟で耐熱性の有る適宜素材で形成された、容器本体１に、乾燥した砂や小石等の重量物２を規定量入れる。蓋体３をかぶせて締め付ける。余った容器内の空間に浴槽の水圧で凹まない程度まで、空気注入口４から、専用の空気入れで、空気を注入する。容器の内圧を高めた後、栓５で空気が容器から漏れないように締め付ける。
【産業上の利用可能性】
【００２２】  利用する個数などは、個人の環境意識の差に依って異なるが、使用水量２００リットル程度の浴槽の場合で、４０リットル程度は、浴槽の湯と置き換える事が可能と思われる。従って、この容器を有効に利用した浴槽の場合、使用水、熱エネルギー、二酸化炭素の排出量を、従来に比べて１５％程度は削減が可能と思われる。家庭の浴槽で消費する熱エネルギーの割合は比較的大きく。これを少しでも削減出来れば、経済的効果だけでなく、二酸化炭素排出量削減につながる。又この容器を使う事で、地球温暖化防止の意識付けにも役立つ。
【符号の説明】
【００２３】    １  容器本体
２  砂や小石等の重量物
３  蓋体
４  空気注入口
５  栓
６  逆止弁
【図１】
0003154442.tif 000003
【図２】
0003154442.tif 000004
【手続補正書】
【提出日】平成21年7月16日(2009.7.16)
【手続補正１】
【補正対象書類名】実用新案登録請求の範囲
【補正対象項目名】全文
【補正方法】変更
【補正の内容】
【実用新案登録請求の範囲】
【請求項１】
中空の球形容器に広口の口と蓋体を設け、球形容器の広口から重量物を入れ、蓋体を締め付ける事で、球形容器内が密閉状態に出来る事と、蓋体の中心部分に逆止弁付きの空気注入口と、この空気注入口をふさぐための栓を設ける事を特徴とし、浴槽使用水量の削減と、浴槽の昇温に必要な熱エネルギーの削減、及び、それに伴う二酸化炭素の排出量の削減を図る事を目的とした、浴槽内に入れて使用する、球形容器。
【請求項２】
球形容器に入れる、該重量物に、水より比重は重くて比熱が小さい、乾燥した砂や小石を使い、水と該重量物の比熱の違いを利用する事で、球形容器自体を断熱構造にしなくても、浴槽水の昇温に必用な、熱エネルギーの削減が得られる事を特徴とした、請求項１記載の球形容器。